(57)【要約】【課題】スリープ機能を有効にしても、ユーザビリティを損なわせず、且つ装置の消し忘れを検知して電源を自動的にオフすることができるテレビ受像機を提供する。【解決手段】制御部２は、一定時間以内に、入力操作が行われるか否かを判定する。そして、一定時間以内に入力操作が行われなければ、制御部２は、入力操作が無い場合に装置本体の電源をオフする旨のメッセージを表示部３２にＯＳＤ表示する。これにより、入力操作が無い場合に装置本体の電源をオフする旨をユーザに報知する。現在視聴しているテレビ番組をユーザが引き続き視聴したくなった場合、図３の表示を見たユーザは、何らかの入力操作（音量アップなど）を行う。逆に、ユーザが寝てしまっている場合や、ユーザが離席してしまっている場合や、装置本体の電源がオフされても構わない場合など、ユーザは、入力操作を行わない。【選択図】  図３
2008227718.tif 000002
【特許請求の範囲】
【請求項１】
放送局から伝送されてきたテレビ放送信号と、該テレビ放送信号の各チャンネルで放送されているテレビ番組の放送終了時刻を示す電子番組表と、を受信する受信手段と、
複数のキーが設けられ、操作されたキーに応じた操作信号を出力する操作手段と、
前記操作手段から出力された前記操作信号を検出する検出手段と、
電源オン時に、装置本体各部に電流を供給する電源手段と、を備えたディジタルテレビジョンにおいて、
前記検出手段において前記操作信号が前回検出されてから一定時間以内に前記操作信号が新たに検出されなかったとき、前記電子番組表を参照して、現在選択されているチャンネルで放送されているテレビ番組の放送が終了するまで待ち、そのテレビ番組の放送終了後、前記入力操作が無い場合に装置本体の電源をオフする旨のメッセージを表示する表示手段を備え、
前記表示手段は、
現在選択されているチャンネルで放送される全てのテレビ番組の放送が前記一定時間以内に終了すると、その他のチャンネルで放送されている全てのテレビ番組の内のいずれかが現在放送されているか否か前記電子番組表に基づいて判定し、前記全てのテレビ番組が放送されていない場合にも、前記メッセージを表示し、
前記電源手段は、
前記メッセージの表示から前記一定時間より短い所定時間以内に、前記検出手段において前記操作信号が検出されなかった場合、前記電流の供給を停止して前記装置本体の電源をオフし、
前記メッセージの表示から前記所定時間以内に、前記検出手段において前記操作信号が検出された場合、前記電流の供給を継続するディジタルテレビジョン。
【請求項２】
複数のキーが設けられ、操作されたキーに応じた操作信号を出力する操作手段と、
前記操作手段から出力された前記操作信号を検出する検出手段と、
電源オン時に、装置本体各部に電流を供給する電源手段と、を備えたテレビ受像機において、
前記検出手段において前記操作信号が前回検出されてから一定時間以内に前記操作信号が新たに検出されなかったとき、前記入力操作が無い場合に装置本体の電源をオフする旨のメッセージを表示する表示手段を備え、
前記電源手段は、
前記メッセージの表示から前記一定時間より短い所定時間以内に、前記検出手段において前記操作信号が検出されなかった場合、前記電流の供給を停止して前記装置本体の電源をオフし、
前記メッセージの表示から前記所定時間以内に、前記検出手段において前記操作信号が検出された場合、前記電流の供給を継続するテレビ受像機。
【請求項３】
放送局から伝送されてきたテレビ放送信号と、該テレビ放送信号の各チャンネルで放送されているテレビ番組の放送終了時刻を示す電子番組表と、を受信する受信手段を備え、
前記表示手段は、
前記検出手段において前記操作信号が前回検出されてから前記一定時間以内に前記操作信号が新たに検出されなかったとき、前記電子番組表を参照して、現在選択されているチャンネルで放送されているテレビ番組の放送が終了するまで待ち、
そのテレビ番組の放送終了後、前記メッセージを表示する請求項２に記載のテレビ受像機。
【請求項４】
前記表示手段は、
現在選択されているチャンネルで放送される全てのテレビ番組の放送が前記一定時間以内に終了すると、その他のチャンネルで放送されている全てのテレビ番組の内のいずれかが現在放送されているか否か前記電子番組表に基づいて判定し、
前記全てのテレビ番組が放送されていない場合、前記メッセージを表示する請求項３に記載のテレビ受像機。
【発明の詳細な説明】
【技術分野】
【０００１】
本発明は、装置の消し忘れを検知して電源を自動的にオフするスリープ機能を有するテレビ受像機に関するものである。
【背景技術】
【０００２】
従来、テレビ受像機では、ユーザが使用時に電源をオンし、不使用時には電源をオフする等、電源回路の制御をユーザに委ねている。そのため、ユーザが装置を使用しないにも係わらず電源をオンしたまま離席して、電源がオン状態であることを忘れてしまった場合には、消費電力の無駄となる問題がある。
そこで、従来においても、装置の消し忘れを検知して電源を自動的にオフするスリープ機能を有するテレビ受像機が採用されている。
【０００３】
このスリープ機能を有効にすると、ユーザが装置を使用しないにも係わらず電源をオンしたまま離席して、電源がオン状態であることを忘れてしまった場合でも、予め定められた一定時間が経過した後、自動的に電源がオフされる。このスリープ機能により、スリープ機能を有する従来のテレビ受像機は、消費電力を節約していた。
一方、特許文献１では、電子装置が提案されている。
【特許文献１】特開平９−３１９４７１号公報
【発明の開示】
【発明が解決しようとする課題】
【０００４】
しかしながら、上記スリープ機能を一度有効にすると、一定時間が経過した後、必ず自動的に電源がオフされる。そのため、スリープ機能を一度有効にした場合であって現在視聴しているテレビ番組をユーザが引き続き視聴したくなった場合でも、従来のテレビ受像機では、強制的に電源がオフされてしまっていた。また、強制的に電源がオフされるのを防ぐため、スリープ機能を無効にする設定変更操作を行わなければならなかった。
従って、スリープ機能を有するテレビ受像機では、ユーザの使い勝手（ユーザビリティ）が悪いという問題があった。このため、従来のテレビ受像機では、スリープ機能の使用率が低かった。
【０００５】
本発明はこのような従来の課題を解決しようとするものであり、スリープ機能を有効にしても、ユーザビリティを損なわせず、且つ装置の消し忘れを検知して電源を自動的にオフすることができるテレビ受像機を提供することを目的とする。
【課題を解決するための手段】
【０００６】
本発明のテレビ受像機は、前記課題を解決するために以下の構成を備えている。
【０００７】
（１）複数のキーが設けられ、操作されたキーに応じた操作信号を出力する操作手段と、
前記操作手段から出力された前記操作信号を検出する検出手段と、
電源オン時に、装置本体各部に電流を供給する電源手段と、を備えたテレビ受像機において、
前記検出手段において前記操作信号が前回検出されてから一定時間以内に前記操作信号が新たに検出されなかったとき、前記入力操作が無い場合に装置本体の電源をオフする旨のメッセージを表示する表示手段と、を備え、
前記電源手段は、
前記メッセージの表示から前記一定時間より短い所定時間以内に、前記検出手段において前記操作信号が検出されなかった場合、前記電流の供給を停止して前記装置本体の電源をオフし、
前記メッセージの表示から前記所定時間以内に、前記検出手段において前記操作信号が検出された場合、前記電流の供給を継続する。
【０００８】
この構成において、テレビ受像機は、装置の消し忘れを検知して電源を自動的にオフするスリープ機能を有する。一定時間は、予め設定される時間であり、例えば１０分、１５分、３０分、６０分である。また、上記の所定時間は、例えば３０秒である。
この構成では、装置を使用しないにも係わらず電源をオンしたまま離席して、電源がオン状態であることを忘れてしまった場合に、消費電力が無駄になるのを防止するため、ユーザがスリープ機能を有効にする場面を想定している。
スリープ機能が有効である限り、表示手段は、検出手段において操作信号が前回検出されてから一定時間以内に操作信号が新たに検出されているかどうか常に確認する。そして、表示手段は、検出手段において操作信号が前回検出されてから一定時間以内に操作信号が新たに検出されなかったとき、上記のメッセージを表示する。現在視聴しているテレビ番組をユーザが引き続き視聴したくなった場合、上記のメッセージを見たユーザは、何らかの入力操作（音量アップなど）を行う。逆に、ユーザが寝てしまっている場合や、ユーザが離席してしまっている場合や、装置本体の電源がオフされても構わない場合など、ユーザは、入力操作を行わない。
そして、電源手段は、所定時間以内に検出手段において操作信号が検出されなかった場合、電流の供給を停止して装置本体の電源をオフする。逆に、ユーザが何らかの入力操作を行えば、電源手段は、電流の供給を継続する。
以上より、スリープ機能を一度有効にした場合であって現在視聴しているテレビ番組をユーザが引き続き視聴したくなった場合でも、ユーザが何らかの入力操作を行うことにより、テレビ受像機では、強制的に電源がオフされることがなくなる。即ち、スリープ機能を有効にしてもユーザビリティを損なわせず、且つテレビ受像機の消し忘れを検知して電源を自動的にオフすることができる。このため、スリープ機能の使用率も向上できる。
【０００９】
（２）放送局から伝送されてきたテレビ放送信号と、該テレビ放送信号の各チャンネルで放送されているテレビ番組の放送終了時刻を示す電子番組表と、を受信する受信手段を備え、
前記表示手段は、
前記検出手段において前記操作信号が前回検出されてから前記一定時間以内に前記操作信号が新たに検出されなかったとき、前記電子番組表を参照して、現在選択されているチャンネルで放送されているテレビ番組の放送が終了するまで待ち、
そのテレビ番組の放送終了後、前記メッセージを表示する。
【００１０】
ここで、現在選択されているチャンネルで放送されているテレビ番組は、ユーザが引き続き視聴したいと考えている可能性が高い。そこで、表示手段は、現在選択されているチャンネルで放送されているテレビ番組の放送が終了するまで待ち、放送終了後、上記メッセージを表示する。この際、装置本体の電源がもうオフされても構わない場合、ユーザは入力操作を行わない。そして、所定時間経過後、電源手段によって装置の電源がオフされる。
以上より、現在選択されているチャンネルで放送されているテレビ番組を引き続き視聴したいと考えている場合、ユーザは何ら入力操作を行わなくとも済む。そのため、スリープ機能を有効にしてもユーザビリティを一層損なわせず、且つ装置の消し忘れを検知して電源を自動的にオフすることができる。このため、スリープ機能の使用率も一層向上できる。
【００１１】
（３）前記表示手段は、
現在選択されているチャンネルで放送される全てのテレビ番組の放送が前記一定時間以内に終了すると、その他のチャンネルで放送されている全てのテレビ番組の内のいずれかが現在放送されているか否か前記電子番組表に基づいて判定し、
前記全てのテレビ番組が放送されていない場合、前記メッセージを表示する。
【００１２】
ここで、深夜の時間帯など、全てのテレビ番組の放送が終了した場合において、装置の電源がオンされている場合、就寝等でユーザが電源を消し忘れている可能性が高い。そこで、全てのテレビ番組の放送が終了した場合、表示手段は、上記の一定時間が経過していなくとも上記メッセージを表示する。そして、所定時間経過後、電源手段によって装置の電源がオフされる。
以上より、全てのテレビ番組が放送されていない場合に、電源を素早く自動的にオフすることができる。従って、消費電力の節約を一層図ることができる。
【発明の効果】
【００１３】
この発明によれば、スリープ機能を有効にしても、ユーザビリティを損なわせず、且つ装置の消し忘れを検知して電源を自動的にオフすることができる。
【発明を実施するための最良の形態】
【００１４】
以下、本発明の実施形態であるディジタルテレビジョンについて説明する。
【００１５】
図１は、本発明の実施形態であるディジタルテレビジョンの主要な構成を示すブロック図である。ディジタルテレビジョン（TV）１０１は、装置の各部の動作を制御する制御部２と、選択されたチャンネル（以下、CHと称する）のテレビ放送信号を受信するチューナ３と、受信したテレビ放送信号をディジタルデータに復調する復調部４と、復調したディジタルデータから画像データと音声データとを分離し、両データを伸長するデコーダ５と、所望のＯＳＤ（On  Screen  Display）画像と画像データに基づく画像とを合成する画像合成部６と、画像データと音声データとの信号をアナログの信号に変換するD／A変換部８と、ユーザの操作を受付ける操作部１１と、EPGデータを記憶するEPGデータメモリ１４と、制御プログラムを記憶する記憶部１５と、画像を画面上に表示する表示部３２と、音声を放音するスピーカ３１と、装置本体各部に電流を供給する電源部１６と、を備える。
なお、この実施形態において、放送局は、番組の他に、各チャンネルで放送されている番組の属性（番組名、出演者、放送時間等）を示す番組情報を放送しているものとする。放送時間は、放送開始時刻と放送終了時刻などから構成される。
【００１６】
ここで、電源部１６及び制御部２が、本発明の「電源手段」に相当する。表示部３２及び制御部２が、本発明の「表示手段」に相当する。制御部２が、本発明の「検出手段」に相当する。
【００１７】
電源部１６は、商用電源からTV１０１の駆動電源を取り出し、装置本体各部に電流を供給する。
記憶部１５は、例えばROMで構成される。
制御部２は、例えばマイクロコンピュータで構成される。制御部２は、上記制御プログラムにより処理されるデータ等を展開するためのワークフィールドとしてのRAM（不図示）と、後述の図２において時間を計測するタイマー回路（不図示）と、を内蔵する。
【００１８】
操作部１１に対し、電子番組表（EPG）の表示、電源のON／OFF／スタンバイ、チャンネルの選択、音量の調整等の命令（コマンド）が入力されると、操作部１１は、該命令に応じた操作信号を制御部２に出力する。制御部２は、操作信号を検出すると、該命令に応じた動作を行う。
また、操作部１１は、リモコン２００からの信号を検出する検出部１１Ａを有する。操作部１１とリモコン２００とは、同様のキーを有する。
【００１９】
チューナ３は、アンテナ３０で受信しているテレビ放送信号から、制御部２の指示に基づいて、選択されている物理チャンネルのテレビ放送信号を受信（抽出）し、出力する。
復調部４は、チューナ３から出力されたテレビ放送信号を復調して、ディジタルデータであるトランスポートストリーム（以下、ＴＳ）を取得し、出力する。このＴＳには、各テレビ番組の画像や音声等の要素信号が納められたＴＳパケットが多重されている。
【００２０】
デコーダ５は、復調部４から出力されたＴＳから、画像データと音声データと上記番組情報であるEPGデータとを分離抽出する。ここで、分離抽出された画像データは、例えばMPEGでエンコードされている。
【００２１】
そして、デコーダ５は、画像データをデコードし、出力する。出力された画像データは、画像合成部６を介して、D／A変換部８に入力される。また、デコーダ５は、音声データをデコードし、D／A変換部８に出力する。
なお、デコーダ５は、上記で分離抽出されたEPGデータを制御部２に出力する。EPGデータには、各チャンネルで放送されている番組の属性（番組名、出演者等）が記述されている。そして、制御部２は、デコーダ５から出力されたEPGデータをEPGデータメモリ１４に記録する。EPGデータメモリ１４は、例えばEEPROMで構成される。
【００２２】
画像合成部６は、不図示の画像メモリを内蔵する。この画像メモリは、入力操作が無い場合に装置本体の電源をオフする旨のメッセージを記憶する。画像合成部６は、制御部２の指示に基づいて、画像データに基づく画像と、画像メモリが記憶している文字又は図形を表すＯＳＤ画像と、を合成するＯＳＤ回路（不図示）を内蔵する。
そして、画像合成部６は、制御部２の指示に基づいて、その合成された合成データをD／A変換部８に出力する。又は、画像合成部６は、制御部２の指示に基づいて、入力された画像データをそのままD／A変換部８に出力する。
【００２３】
D／A変換部８は、デコーダ５が出力した画像データ（合成データを含む）の信号をアナログの再生画像信号に変換し、表示部３２に出力する。表示部３２は、例えばLCD（Liquid Crystal Display）である。また、D／A変換部８は、デコーダ５が出力した音声データの信号をアナログの再生音声信号に変換し、スピーカ３１に出力する。
ユーザは、表示部３２およびスピーカ３１において、D／A変換部８から出力された再生画像信号に基づく画像と再生音声信号に基づく音声とを視聴する。
【００２４】
制御部２は、装置の消し忘れを検知して電源を自動的にオフするスリープ機能を有する。さらに、操作部１１には、そのスリープ機能を有効にするか無効にするかを切替えるスリープキーが設けられている。以下、このスリープ機能に関して詳述する。
【００２５】
図２は、本発明の実施形態であるディジタルテレビジョンの制御部が行う動作を示すフローチャートである。この動作は、上記のスリープ機能が有効になっている時の動作である。スリープ機能がスリープキーにより有効である限り、制御部２は、図２に示すスリープ処理を常に実行する。
【００２６】
まず、制御部２は、内蔵のタイマー回路において、時間の計測を開始する（Ｓ１）。ここで計測される時間は、後述のＳ２の判定で参照される。
【００２７】
そして、制御部２は、一定時間以内に（Ｓ２）、入力操作が行われるか否かを判定する（Ｓ３）。即ち、ここで、制御部２は、操作信号が前回検出されてから一定時間以内に操作信号が新たに検出されるかどうかを判定する。一定時間は、予め設定される時間であり、例えば１０分、１５分、３０分、６０分である。
【００２８】
一定時間以内に入力操作が行われれば、制御部２は、その操作に応じた制御を行う（Ｓ４）。そして、制御部２は、タイマー回路のタイマーをリセットし（Ｓ５）、Ｓ１に戻り本処理を継続する。
【００２９】
図３は、表示部３２で表示されるメッセージの一例である。
一方、一定時間以内に入力操作が行われなければ、制御部２は、入力操作が無い場合に装置本体の電源をオフする旨のメッセージをＯＳＤ表示するよう画像合成部６に指示する（Ｓ６）。すると、画像合成部６は、画像データに基づく画像と、画像メモリが記憶している該メッセージを表すＯＳＤ画像と、を合成する。そして、入力操作が無い場合に装置本体の電源をオフする旨のメッセージが表示部３２で表示される（図３参照）。これにより、入力操作が無い場合に装置本体の電源をオフする旨をユーザに報知する。現在視聴しているテレビ番組をユーザが引き続き視聴したくなった場合、図３の表示を見たユーザは、何らかの入力操作（音量アップなど）を行う。逆に、ユーザが寝てしまっている場合や、ユーザが離席してしまっている場合や、装置本体の電源がオフされても構わない場合など、ユーザは、入力操作を行わない。
【００３０】
そして、制御部２は、内蔵のタイマー回路において、時間の計測を新たに開始する（Ｓ７）。ここで新たに計測される時間は、後述のＳ８の判定で参照される。
【００３１】
そして、制御部２は、所定時間以内に（Ｓ８）、入力操作が行われるか否かを判定する（Ｓ９）。所定時間は、上記の一定時間より短い時間に設定する。所定時間は、例えば３０秒である。
【００３２】
所定時間以内に入力操作が行われれば、制御部２は、その操作に応じた制御を行う（Ｓ１０）。そして、制御部２は、タイマー回路のタイマーをリセットし（Ｓ１１）、Ｓ１に戻り本処理を継続する。これにより、スリープ機能を一度有効にした場合であって現在視聴しているテレビ番組をユーザが引き続き視聴したくなった場合でも、ディジタルテレビジョン１０１では、強制的に電源がオフされることがなくなる。
【００３３】
一方、所定時間以内に入力操作が行われなければ、制御部２は、電流の供給を停止して装置本体の電源を電源部１６にオフさせ（Ｓ１２）、本処理を終了する。
【００３４】
以上より、スリープ機能を一度有効にした場合であって現在視聴しているテレビ番組をユーザが引き続き視聴したくなった場合でも、ユーザが何らかの入力操作を行うことにより、ディジタルテレビジョン１０１では、強制的に電源がオフされることがなくなる。即ち、スリープ機能を有効にしてもユーザビリティを損なわせず、且つＴＶ１０１の消し忘れを検知して電源を自動的にオフすることができる。このため、スリープ機能の使用率も向上できる。
【００３５】
また、本発明の実施形態は、以下の変形例を採用することができる。
【００３６】
（第１変形例）
図４は、本発明の実施形態の第１変形例であるディジタルテレビジョンの制御部が行う動作を示すフローチャートである。この動作は、図２のＳ２とＳ６との間にＳ１０１とＳ１０２を追加した動作であり、その他の処理（Ｓ１〜Ｓ１２）については同じである。
【００３７】
ここで、現在選択されているチャンネルで放送されているテレビ番組は、ユーザが引き続き視聴したいと考えている可能性が高い。そこで、制御部２は、以下のように動作する。
まず、制御部２は、Ｓ２判定肯定の後、ＥＰＧデータメモリ１４からＥＰＧデータを読取って、ＥＰＧを参照する（Ｓ１０１）。
そして、制御部２は、現在選択されているチャンネルで放送されているテレビ番組の放送が終了するまで待つ（Ｓ１０２）。
そのテレビ番組の放送終了後、制御部２は、入力操作が無い場合に装置本体の電源をオフする旨のメッセージをＯＳＤ表示するよう画像合成部６に指示する（Ｓ６）。これにより、メッセージが表示部３２で表示される（図３参照）。この際、装置本体の電源がもうオフされても構わない場合、ユーザは入力操作を行わない。そして、所定時間経過後、装置の電源がオフされる（Ｓ１２）。
【００３８】
以上より、現在選択されているチャンネルで放送されているテレビ番組を引き続き視聴したいと考えている場合、ユーザは何ら入力操作を行わなくとも済む。そのため、スリープ機能を有効にしてもユーザビリティを一層損なわせず、且つＴＶ１０１の消し忘れを検知して電源を自動的にオフすることができる。このため、スリープ機能の使用率が一層向上できる。
【００３９】
（第２変形例）
図５は、本発明の実施形態の第２変形例であるディジタルテレビジョンの制御部が行う動作を示すフローチャートである。この動作は、図２のＳ３の判定否定の後にＳ２０１〜Ｓ２０４を追加した動作であり、その他の処理（Ｓ１〜Ｓ１２）については同じである。
【００４０】
ここで、深夜の時間帯など、全てのテレビ番組の放送が終了した場合において、ＴＶ１０１の電源がオンされている場合、就寝等でユーザが電源を消し忘れている可能性が高い。そこで、制御部２は、以下のように動作する。
制御部２は、一定時間以内に（Ｓ２）、入力操作が行われるか否かを判定する（Ｓ３）。この際、制御部２は、併せて、現在選択されているチャンネルで放送される全てのテレビ番組の放送が終了したか否かを判定する（Ｓ２０１）。この判定は、表示部３２で表示される画面が、規定時間（例えば１５秒間）ブルーバック又はブラックバックになった場合に判定肯定となる。
現在選択されているチャンネルで放送される全てのテレビ番組の放送が終了すると、制御部２は、ＥＰＧデータメモリ１４からＥＰＧデータを読取って、ＥＰＧを参照する（Ｓ２０２）。
そして、制御部２は、その他のチャンネルで放送されている全てのテレビ番組の内のいずれかが現在放送されているか否か、ＥＰＧに基づいて判定する（Ｓ２０３）。
いずれかのテレビ番組が他のチャンネルで放送されていれば、制御部２は、そのチャンネルをチューナ３などに選択させ（Ｓ２０４）、Ｓ１に戻り処理を継続する。
一方、全てのテレビ番組が放送されていない場合、制御部２は、図３に示すメッセージを表示部３２で表示する（Ｓ６）。そして、所定時間経過後（Ｓ８）、装置の電源がオフされる（Ｓ１２）。
【００４１】
以上より、全てのテレビ番組が放送されていない場合に、電源を素早く自動的にオフすることができる。従って、消費電力の節約を一層図ることができる。
【図面の簡単な説明】
【００４２】
【図１】本発明の実施形態であるディジタルテレビジョンの主要な構成を示すブロック図
【図２】本発明の実施形態であるディジタルテレビジョンの制御部が行う動作を示すフローチャート
【図３】表示部３２で表示されるメッセージの一例
【図４】本発明の実施形態の第１変形例であるディジタルテレビジョンの制御部が行う動作を示すフローチャート
【図５】本発明の実施形態の第２変形例であるディジタルテレビジョンの制御部が行う動作を示すフローチャート
【符号の説明】
【００４３】
２−制御部
３−チューナ
４−復調部
５−デコーダ
６−画像合成部
１１−操作部
１４−ＥＰＧデータメモリ
１５−記憶部
１６−電源部
３０−アンテナ
３１−スピーカ
３２−表示部
１０１−ディジタルテレビジョン
２００−リモコン
【図１】
2008227718.tif 000003
【図２】
2008227718.tif 000004
【図３】
2008227718.tif 000005
【図４】
2008227718.tif 000006
【図５】
2008227718.tif 000007